(57)【特許請求の範囲】
【請求項１】
画像情報に応じて変調された光束を被投射面上に投射する光学ユニットと、
該光学ユニットの光源装置を駆動する光源駆動装置と、
少なくとも前記光源駆動装置へ電力を供給する電源装置と、
前記電源装置ならびに光源駆動装置を冷却する冷却ファンと、
前記光学ユニットを収容する外装筺体と、を備えたプロジェクターであって、
該外装筺体には、厚さ方向一側に天面部、他側に底面部が設けられ、
前記底面部は、前記被投射面の上側に設置されて該プロジェクターを支持する支持部材と当接する当接部を有し、
前記光学ユニットの前記底面部側には、前記冷却ファンと、前記電源装置および前記光源駆動装置を収容する蓋体と、が配置され、
前記光学ユニットと、前記蓋体との間には、前記外装筺体の隔壁が形成されていることを特徴とするプロジェクター。
【請求項２】
前記電源装置と前記光源駆動装置とは、前記冷却ファンからの冷却風を振り分けて送り込むべく並列配置されている請求項１に記載のプロジェクター。
【請求項３】
前記電源装置の基板は、前記光源駆動装置の基板に対して垂直に設けられている請求項１又は２に記載のプロジェクター。
【請求項４】
前記外装筺体は、冷却風を導入するための吸気口を有し、
前記冷却ファンは、前記吸気口近傍に設けられたエアフィルターを介して前記外装筺体の外部から空気を取り込む請求項１乃至３の何れか一項に記載のプロジェクター。
【請求項５】
前記冷却ファンは、遠心ファンであり、冷却風の吹き出し口を前記電源装置側に傾斜している請求項２に記載のプロジェクター。
【請求項６】
前記光学ユニットは、前記変調された光束が入射される複数のレンズと、前記複数のレンズからの光束を反射する反射面を有する反射部材と、を備え、
前記天面部には、前記反射部材により反射された光束を通過させる開口部が形成されている請求項１乃至５の何れか一項に記載のプロジェクター。
【発明の詳細な説明】
【技術分野】
【０００１】
本発明は、プロジェクターに関するものである。
【背景技術】
【０００２】
光源装置から射出された光束を画像情報に応じて光変調装置によって変調することで画像光を形成し、この画像光を投射光学装置によって拡大してスクリーンなどの被投射面上に拡大投射するプロジェクターにあっては、上記光源装置を電源装置と光源駆動装置（バラスト）とで挟み込んで配置したものが知られている（例えば、特許文献１参照）。
また、電源装置と光源駆動装置とを直列に配置して光学ユニットの側方に配設し、吸気口から取り込んだ冷却風により電源装置を冷却した後に、光源駆動装置を冷却するようにしたものがある（例えば、特許文献２参照）。
【先行技術文献】
【特許文献】
【０００３】
【特許文献１】特開２００８−２６８３３３号公報
【特許文献２】特開２０１１−００２６１３号公報
【発明の概要】
【発明が解決しようとする課題】
【０００４】
しかしながら、上記前者のプロジェクターは、光源装置の両脇に配置された電源装置と光源駆動装置とにそれぞれ冷却ファンを設ける必要があり、部品構成が複雑化するとともに、プロジェクターの平面サイズが大きくなってしまうという課題がある。
さらに上記後者のプロジェクターは、電源装置と光源駆動装置とを直列に配置するために外装筺体が大型化してプロジェクターの平面サイズが大きくなってしまうという課題がある。
【０００５】
本発明は、上記従来技術の問題点に鑑み成されたものであって、電源装置と光源駆動装置とにそれぞれ対応する冷却ファンを設けることで部品構成が複雑化するのを防止しつつ、平面サイズを小型化して設置自由度を高めることができるプロジェクターを提供することを目的の一つとしている。
【課題を解決するための手段】
【０００６】
本発明のプロジェクターは、上記課題を解決するために、画像情報に応じて変調された光束を被投射面上に投射する光学ユニットと、該光学ユニットの光源装置を駆動する光源駆動装置と、少なくとも前記光源駆動装置へ電力を供給する電源装置と、前記光学ユニット、前記光源駆動装置、前記電源装置を収容する外装筺体とを備え、該外装筺体には、厚さ方向一側に天面部、他側に底面部が設けられ、前記光学ユニットの前記底面部側には、前記電源装置、および前記光源駆動装置が配置されていることを特徴としている。
【０００７】
本発明によれば、光学ユニットの、外装筺体の底面部側に電源装置と光源駆動装置とが配置されることで、光学ユニットを挟んで電源装置ならびに光源駆動装置を配置する場合と比較して、外装筺体の平面サイズを小型化することができる。したがって、部品点数を削減して装置構成が複雑化するのを防止しつつ、外装筺体の平面サイズの小型化を図り設置自由度を高めることができる。
【０００８】
また、前記電源装置ならびに光源駆動装置を冷却する冷却ファンを備え、前記電源装置と前記光源駆動装置とは、前記冷却ファンからの冷却風を振り分けて送り込むべく並列配置されていることが好ましい。
本発明によれば、例えば、電源装置と光源駆動装置との一方を冷却した冷却風を他方に送り込む直列配置の場合と比較して、一つの冷却ファンにより電源装置と光源駆動装置とに並行して冷却風を送り込むことができるため、電源装置と光源駆動装置とを均等に冷却することができる。
【０００９】
また、前記電源装置の基板は、前記光源駆動装置の基板に対して垂直に設けられていることが好ましい。
本発明によれば、電源装置の基板と光源駆動装置の基板とがそれぞれ水平に設けられる場合と比較して、外装筺体の平面サイズをさらに小型化することができる。
【００１０】
また、外装筺体は、冷却風を導入するための吸気口を有し、前記冷却ファンは、前記吸気口近傍に設けられたエアフィルターを介して前記外装筺体の外部から空気を取り込むことが好ましい。
本発明によれば、光変調装置を冷却するための吸気口およびエアフィルターを介して空気を取り込むことで、電源装置ならびに光源駆動装置を冷却する冷却ファン用に別途吸気口ならびにエアフィルターを設ける場合よりも、部品点数を削減して外装筺体の構造を簡素化して小型化することができる。
【図面の簡単な説明】
【００１１】
【図１】本実施形態に係るプロジェクターの使用例を示す図である。
【図２】上記プロジェクターを天面部側の前方から見た斜視図である。
【図３】上記プロジェクターを天面部側の後方から見た斜視図である。
【図４】上記プロジェクターを底面部側の後方から見た斜視図である。
【図５】上記プロジェクターのカバー部材を取り外した状態の斜視図である。
【図６】筺体本体部に収容される光学ユニットを後面部側からみた分解斜視図である。
【図７】上記光学ユニットの投射光学装置の内部構成を模式的に示す断面図である。
【図８】上記光学ユニットを筺体本体部に収容した状態を示す斜視図である。
【図９】図８のＡ−Ａ線に沿う断面図である。
【図１０】光学ユニットと電源ユニットとの相対的な位置関係を示す斜視図である。
【図１１】電源ユニットと冷却ファンおよび排気ファンとの配置を示す斜視図である。
【図１２】上記図１１に示す各部を右側面部側から見た斜視図である。
【図１３】上記図１１に示す各部を底面部側から見た平面図である。
【図１４】外装筺体から蓋体および光源駆動装置を取り外した状態の分解斜視図である。
【発明を実施するための形態】
【００１２】
以下、本発明の実施形態につき、図面を参照して説明する。なお、以下の説明に用いる各図面では、各部材を認識可能な大きさとするため、各部材の縮尺を適宜変更している。また、以下で用いる図面において、矢印ＦＲはプロジェクター１の前方を示し、矢印ＵＰはプロジェクター１の上方を示し、矢印ＲＨはプロジェクター１の右方を示している。
【００１３】
図１は、本実施形態に係るプロジェクター１の使用例を示す図である。
プロジェクター１は、スクリーン等の被投射面ＳＣに光束ＰＬを照射することで、ＰＣ（Personal Computer）などから受信される画像情報に応じた画像を被投射面ＳＣに投影する。
図１に示すように、プロジェクター１は、例えば、その天面部１１を下方に向けた状態で、天面部１１とは反対側の底面部１２が、被投射面ＳＣの上方の壁面Ｈから水平方向に延びる金具２に支持されている。金具２は、壁面Ｈから離間・接近する方向に伸縮可能なアーム部２ａを有しており、当該アーム部２ａの伸縮により壁面Ｈからプロジェクター１までの距離が調整可能になっている。なお、プロジェクター１は、天面部１１を上方に向けた状態で床面に載置して被投射面ＳＣに画像を投影することも可能である。
【００１４】
図２は、プロジェクター１を天面部１１側の前方から見た斜視図であり、図３は、プロジェクター１を天面部１１側の後方から見た斜視図である。さらに図４は、プロジェクター１を底面部１２側の後方から見た斜視図である。
プロジェクター１は、その外装を構成する例えば合成樹脂製の外装筺体３を備える。外装筺体３は、その厚さ方向一側である上側に天面部１１、他側である下側に底面部１２を有している。また、外装筺体３は、その幅方向一側である左側に左側面部１３、他側である右側に右側面部１４を備え、前後方向一側である前側に前面部１５、他側である後側に後面部１６を有している。なお、前後方向は、プロジェクター１が金具２により被投射面ＳＣに対して離間および近接される方向である。
【００１５】
天面部１１には、前後方向中央よりも後面部１６側に、幅方向に延びる断面略Ｖ字状の凹部１７が形成されている。凹部１７は、後方に配置される第１傾斜面１８及び、前方に配置される第２傾斜面１９を有している。さらに天面部１１には、後面部１６から第１傾斜面１８に至る範囲内の右側に操作パネル２５が設けられている。この操作パネル２５には、プロジェクター１を操作するための複数のキーが配設されている。
【００１６】
第１傾斜面１８には、その左側面部１３側に、後述する光学ユニット５０の反射部材５９により反射された画像すなわち光束ＰＬを通過させるための開口部２１が形成されている。この開口部２１は、外装筺体３の厚さ方向で最も外側となる最外側位置（図示せず）よりも底面部１２側に配置されており、開口部２１の周縁は、外装筺体３の内側に向かって傾斜して形成されている。開口部２１を通過した光束ＰＬは、外装筺体３の後方側から前方側斜め上方に向かって投射される。なお、第１傾斜面１８には、ユーザが操作するレーザーポインタ（図示せず）の動きなどを検出するカメラ２３が配置される第２開口部２４が上述した開口部２１の右側に形成される。プロジェクター１は、カメラ２３の撮像結果に基づきレーザーポインタの軌跡を示す線などを被投射面ＳＣに投影される画像上に重ねて表示する機能を有している。
【００１７】
第２傾斜面１９は、上述した開口部２１から投射される光束ＰＬを避けるための傾斜面であって、開口部２１よりも光束ＰＬの投射方向に位置し外装筺体３の厚さ方向に対して傾斜して形成されている。より具体的には、第２傾斜面１９は、その後縁が上述した第１傾斜面１８の最も底面部１２側の下縁に接続され、光束ＰＬの投射方向に向かうほど底面部１２から離れるように傾斜して形成されている。
【００１８】
左側面部１３には、複数のスリット状の開口部３１が略矩形の範囲に配列された第１吸気口３２ならびに第２吸気口３３が前後方向に並んで形成されている。第１吸気口３２は、第２傾斜面１９の側方に位置し、第２吸気口３３は、第１吸気口３２よりも前方側で且つ、第１吸気口３２よりもやや天面部１１側にずれて配置されている。これら第１吸気口３２および第２吸気口３３にはそれぞれエアフィルター（図示せず）と吸気ファンＦ（図６参照）とが取り付けられている。吸気ファンＦには吸気ダクトＤ（図６参照）が取り付けられており、この吸気ダクトＤの噴出口が後述する光学ユニット５０の各液晶ライトバルブ（図示せず）の下方にて上方を向いて開口される。これにより、吸気ダクトＤを通じて供給される冷却風は、各液晶ライトバルブの下方から上方に向かって噴出されることとなる。なお、第１吸気口３２の上方で且つ第２吸気口３３の後方側のスペースには、吸気口開閉レバー３４が配設されている。また、上記複数の液晶ライトバルブは光変調装置５２を構成する。
【００１９】
右側面部１４には、上記第１吸気口３２および第２吸気口３３に略対向する位置、換言すれば、後述する光学ユニット５０の光源装置５１の光軸後方の位置に、複数のスリット状の開口部３５が略矩形の範囲に配列された排気口３６が形成される。この排気口３６には、外装筺体３内部に取り込まれた冷却空気を一括排気する排気ファンユニット５４（図６参照）が取り付けられている。
上記構成によれば、第１吸気口３２および第２吸気口３３からエアフィルターを介して吸気ファンＦにより取り込まれた冷却空気によって光学ユニット５０の光変調装置５２を構成するＲＧＢ毎の液晶ライトバルブ等を冷却することができ、さらに冷却に供された冷却空気を排気ファンユニット５４により排気口３６から外装筺体３の外部に排出することができる。
【００２０】
後面部１６には、上記操作パネル２５の天面部１１側の後方位置に、複数の丸孔３７が略矩形の範囲に配列されたスピーカー用のメッシュ部３８が形成されている。このメッシュ部３８の内部には、スピーカーユニット（図示せず）が配置され、このメッシュ部３８を介してスピーカーユニットからの音声出力が外装筺体３の外部へと伝達されるようになっている。
【００２１】
底面部１２には、複数のボス３９が形成されている。これらボス３９は、金具２のアーム部２ａの複数の取付座（図示せず）にそれぞれ対向する位置に配置され、ボス３９にアーム部２ａの取付座を当接させてビス等で締結することで、プロジェクター１が金具２を介して壁面Ｈに支持されていわゆる壁掛け状態又は天吊り状態とすることができる。さらに底面部１２には、その前面部１５側に、メンテナンス用の蓋体４０が着脱可能に取り付けられている。この蓋体４０は、底面部１２から下方に突出して形成されており、この突出する部分は、プロジェクター１が金具２に支持される箇所を避けて当該箇所よりも前面部１５側に配置されている。蓋体４０の突出する部分は、プロジェクター１が金具２に支持された状態において、金具２と底面部１２との間に生じる隙間に配置され、上記隙間を有効利用することが可能となっている（図１参照）。なお、この蓋体４０は、水平面４１を有しており、プロジェクター１を床面に載置して使用する際に、底面部１２の前方側の凸部４２とともに外装筺体３を下方から支持する脚部として機能する。
【００２２】
図５は、プロジェクター１のカバー部材４３を取り外した状態の斜視図である。
図５に示すように、外装筺体３は、第１傾斜面１８の右側の一部を構成する壁部４３ａと、第２傾斜面１９の右側の一部を構成する壁部４３ｂと、右側面部１４の排気口３６よりも後方側の一部を構成する壁部４３ｃとを有するカバー部材４３を着脱可能に備えている。このカバー部材４３は、外装筺体３の筺体本体部４４に対して側方から着脱可能とされる。このカバー部材４３の底面部１２側には、ケーブル挿通用の底部開口部４５が形成されており、カバー部材４３の内側の筺体本体部４４側には、複数の外部端子を備えるインターフェース部４６が配設されている。
【００２３】
図６は、プロジェクター１の筺体本体部４４に収容される光学ユニット５０を後面部１６側からみた分解斜視図である。
図６に示す光学ユニット５０は、プロジェクター１の装置本体を構成し、上下分割可能な筺体本体部４４の内部に収容される。装置本体は、光学ユニット５０の他、吸気ファンＦなどを有する冷却機構、光学ユニット５０や冷却機構などに電力を供給する電源ユニット８０（後述する）、および、これら光学ユニット５０、冷却機構の駆動制御を行う制御ユニット（図示せず）などを備えて構成される。
【００２４】
光学ユニット５０は、光束ＰＬを射出する光源装置５１と、この光源装置５１から射出された光束ＰＬを外部から入力される画像情報に応じて変調する液晶ライトバルブ等を備える光変調装置５２と、この光変調装置５２により変調された光束ＰＬを被投射面ＳＣに投射する投射光学装置５３等を備えて構成される。
ここで、外装筺体３の前後方向一側である前面部１５側には、外装筺体３の幅方向一側である右側面部１４側に光源装置５１が配置されるとともに、幅方向他側である左側面部１３側に光変調装置５２が配置され、さらに、外装筺体３の幅方向他側である左側面部側には、投射光学装置５３が前後方向に延在して配置される。つまり、光学ユニット５０は、天面部１１あるいは底面部１２側から見て略Ｌ字状に形成されている。なお、図６では、筺体本体部４４のロアケースのみを示している。
【００２５】
図７は、光学ユニット５０の投射光学装置５３の内部構成を模式的に示す断面図である。
図７に示すように、光学ユニット５０は、光変調装置５２を介した光源装置５１からの光束ＰＬが入射される複数のレンズ５８と、レンズ５８からの光束ＰＬを反射する反射面５９Ａを有する反射部材５９と、レンズ５８及び反射部材５９を収容する収容部材６０とを有する。
反射面５９Ａは、凹面を含み、反射部材５９は、非球面ミラーである（以下、反射部材５９を適宜、非球面ミラー５９と称する）。反射面５９Ａは、回転対称でない自由曲面形状の反射面であり、非球面ミラー５９は、投射光学装置５３における光路最下流において、反射面５９Ａが斜め上方を向くように配置される。非球面ミラー５９は、複数のレンズ５８により導かれた光束ＰＬを反射して、図７中の斜め上方側に折り返すとともに広角化する。
【００２６】
投射開口部６１及び開口部２１は、収容部材６０の上方側に配置され、非球面ミラー５９で反射した光束ＰＬを通過させることができる。投射光学装置５３は、非球面ミラー５９で反射した光束ＰＬが、収容部材６０の上方側において投射開口部６１及び開口部２１を通過できるように、外装筺体３の内部に設置される。非球面ミラー５９（反射面５９Ａ）は、レンズ５８からの光束ＰＬを反射して、投射開口部６１及び開口部２１へ導く。投射開口部６１は、光束ＰＬを透過可能な透過部材２２により閉塞されている。反射部材５９からの光束ＰＬは、投射開口部６１の透過部材２２を通過した後、開口部２１を通過して、外装筺体３の外部空間に射出される。
投射開口部６１は、非球面ミラー５９の反射面５９Ａで反射した光束ＰＬが集光する集光点Ｐの近傍に形成され、これにより投射開口部６１の面積を小さくすることが可能となっている。
【００２７】
図８は、上述した図６の光学ユニット５０を筺体本体部４４に収容した状態を示す斜視図であり、図９は、図８のＡ−Ａ線に沿う断面図である。さらに図１０は、光学ユニット５０と電源ユニット８０との相対的な位置関係を示す斜視図である。
図８〜図１０に示すように、外装筺体３の筺体本体部４４には、光学ユニット５０の底面部１２側に電源ユニット８０と、この電源ユニット８０を冷却するための冷却ファン８４が配置されている。より具体的には、電源ユニット８０は、光学ユニット５０の光源装置５１から光変調装置５２に至る部分の底面部１２側の蓋体４０内に収容されており、光学ユニット５０と電源ユニット８０との間には、外装筺体３の隔壁８３が形成されて光学ユニット５０に対して電源ユニット８０が隔離されている。
【００２８】
電源ユニット８０は、主に電源装置８１と光源駆動装置８２とを備えて構成される。
電源装置８１は、商用の交流電力を電圧変換して光源駆動装置８２や制御基板（図示せず）などへ電力供給を行う。電源装置８１は、パワートランジスタや整流用のキャパシタなどの各種電子部品が実装された電源基板８１ａを備えている。
光源駆動装置８２は、電源装置８１からの供給電力を安定化して光源装置５１へ供給する装置である。光源駆動装置８２は、パワートランジスタやダイオードなどの各種電子部品が実装された光源駆動基板８２ａを備えている。なお、上述した光源装置５１においては、主に光源駆動装置８２からの供給電力により光束ＰＬが射出されている。
【００２９】
光源駆動装置８２の光源駆動基板８２ａは、外装筺体３の幅方向が長手方向となる略矩形に形成され、その長手方向が、光学ユニット５０の光源装置５１から光変調装置５２に延びる方向を向くように配置されている。光源駆動基板８２ａは、その表裏面が外装筺体３の前後方向を向くように略鉛直に延在され、電源装置８１よりも前面部１５側に配置されている。
電源装置８１は、電源基板８１ａの前面部１５側と後面部１６側と底面部１２側とをそれぞれ覆う金属製の壁部８５ａ〜８５ｃを有した断面略コの字状のケーシング８５を備えている。そして、このケーシング８５の壁部８５ａが、電源装置８１の電源基板８１ａと光源駆動装置８２の光源駆動基板８２ａとを隔てる隔壁となっている。
【００３０】
図１１は、電源ユニット８０と冷却ファン８４および排気ファン５４ａとの相対配置を示す左側面部１３側から見た斜視図であり、図１２は、電源ユニット８０と冷却ファン８４および排気ファン５４ａとの相対配置を示す右側面部１４側から見た斜視図である。さらに図１３は、電源ユニット８０と冷却ファン８４および排気ファン５４ａとの相対配置を示す底面部１２側から見た平面図である。
【００３１】
図１１〜図１３に示すように、電源基板８１ａは、光源駆動基板８２ａに対して略垂直に配置されている。このように配置された電源基板８１ａと光源駆動基板８２ａとは、上述した壁部８５ａにより隔てられており、この壁部８５ａの作用により、電源基板８１ａからの電磁誘導等による影響が光源駆動基板８２ａへ及ばないようになっている。
【００３２】
冷却ファン８４は、電源装置８１ならびに光源駆動装置８２に対して冷却風を供給するいわゆる遠心ファン（換言すれば、シロッコファン）であり、その回転軸が、外装筺体３の厚さ方向を向いた姿勢で筺体本体部４４に固定されている。また冷却ファン８４は、その吹き出し口８４ａをやや電源装置８１側に傾斜させた状態で、吹き出し口８４ａが壁部８５ａの端縁に向くように配置されており、この吹き出し口８４ａの配置により、吹き出された冷却風が、図１３の矢印に示すように、壁部８５ａにより二分されてそれぞれ電源装置８１ならびに光源駆動装置８２に略均等に流れ込むようになっている。つまり、上述した電源装置８１と光源駆動装置８２とは、冷却ファン８４からの冷却風が振り分けられて送り込まれるべく並列配置となっている。
【００３３】
電源装置８１においては、上述したケーシング８５が冷却風の流路となり、冷却ファン８４が配置された流路の一側から流入される冷却風は、排気ファンユニット５４の排気ファン５４ａが配置される流路の他側から流出される。そして、排気ファン５４ａを介して外部へと排出される。光源駆動装置８２においては、主に、上記壁部８５ａと光源駆動基板８２ａが固定されるフレーム８６とにより流路が形成され、電源装置８１と同様に、冷却ファン８４が配置された流路の一側から流入される冷却風は、排気ファン５４ａが配置される流路の他側から流出される。
【００３４】
排気ファン５４ａは、いわゆる軸流ファンであり光源装置５１の光軸方向の後側にその軸線が配置され、さらに電源ユニット８０の光源駆動装置８２よりも電源装置８１に近い位置に配置されている。このような配置の場合、冷却ファン８４から排気ファン５４ａまでの流路長は、排気ファン５４ａが配置される側である電源装置８１経由の流路長の方が光源駆動装置８２経由の流路長よりも短くなり、流量が多くなる傾向がある。そのため、冷却風の流量を均等化するべく、光源駆動装置８２の流路の他側には、当該流路を電源装置８１側に拡張する拡張部８１ｂが形成されている。この拡張部８１ｂは光源駆動装置８２の流路出口側に向かって徐々に拡幅するように形成されており、これにより光源駆動装置８２の流路の方が、電源装置８１の流路の断面積よりも大きくなり、これにより電源装置８１への流量が若干絞られるとともに光源駆動装置８２への流量が若干増加されて、電源装置８１と光源駆動装置８２とに流れる冷却風の流量が均等化されている。
【００３５】
図１４は、外装筺体３から蓋体４０および光源駆動装置８２を取り外した状態を示す分解斜視図である。
図１４に示すように、上述した蓋体４０は、筺体本体部４４に対してビス（図示せず）等を介して着脱可能に固定される。この蓋体４０の内側には、電源ユニット８０を構成する電源装置８１と光源駆動装置８２とが収容されるとともに、その左側面部１３側には、これら電源装置８１と光源駆動装置８２とに冷却風を供給する冷却ファン８４が配設される。冷却ファン８４は、上述した光変調装置５２用の第１吸気口３２および第２吸気口３３の底面部１２側の近傍に配置されており、これら第１吸気口３２、第２吸気口３３およびエアフィルター（図示せず）を介して外装筺体３の外部から空気が供給される。
【００３６】
光源駆動装置８２は、前面部１５側からビス８６により電源装置８１のケーシング８５に着脱可能に固定され、その固定された状態で、底面部１２側に設けられたヒンジを介して揺動可能に支持された開閉部８７によって前面部１５側が覆われる。さらに、電源装置８１に対して光源駆動装置８２が取り付けられた状態において、電源ユニット８０の底面部１２側および前面部１５側を覆うフレーム部材８８が取り付けられている。このフレーム部材８８は、筺体本体部４４に固定され、このフレーム部材８８が筺体本体部４４に固定された状態で、蓋体４０を底面部１２側から筺体本体部４４に取り付けることで、電源ユニット８０および冷却ファン８４が外装筺体３内部に収容される。これとは反対に、蓋体４０およびフレーム部材８８を筺体本体部４４から取り外して、開閉部８７を開き、さらにビス８９を離脱させることで、光源駆動装置８２を外装筺体３の内部から取り出すことができる。
【００３７】
以上説明した本実施形態のプロジェクターによれば、光学ユニット５０の底面部１２側に電源装置８１と光源駆動装置８２とが配置されることで、光学ユニット５０を挟んで電源装置８１ならびに光源駆動装置８２を配置する場合と比較して、外装筺体３の平面サイズを小型化することができる。さらに、電源装置８１と光源駆動装置８２とを両方とも光学ユニット５０の底面部１２側に配置していることで、一つの冷却ファン８４によって電源装置８１と光源駆動装置８２とに冷却風を送風することができる。この結果、部品点数を削減して装置構成が複雑化するのを防止しつつ、外装筺体３の平面サイズの小型化を図り設置自由度を高めることができる。
【００３８】
さらに、例えば、電源装置８１と光源駆動装置８２との一方を冷却した冷却風を他方に送り込む直列配置の場合と比較して、一つの冷却ファン８４により電源装置８１と光源駆動装置８２とに冷却風を並行して送風することができるため、電源装置８１と光源駆動装置８２とを均等に冷却することができる。
【００３９】
また、電源装置８１の電源基板８１ａと光源駆動装置８２の光源駆動基板８２ａとがそれぞれ略水平に設けられる場合と比較して、光源駆動基板８２ａを電源基板８１ａに対して垂直に配置した分だけ外装筺体３の平面サイズを更に小型化することができる。
電源ユニット８０は、光学ユニット５０の光源装置５１から光変調装置５２に至る部分の底面部１２側の蓋体４０内に収容されている。よって電源ユニット８０は、プロジェクター１が金具２に支持された状態において、金具２と底面部１２との間に生じる隙間に配置されているので、底面部１２から突出して設置されていてもプロジェクター１の設置に影響を及ぼすことがない。
そして、光変調装置５２を冷却するための第１吸気口３２、第２吸気口３３、およびエアフィルターを介して空気を取り込むことができるため、電源装置８１ならびに光源駆動装置８２を冷却する冷却ファン８４用に別途吸気口ならびにエアフィルターを設ける場合よりも、部品点数を削減して外装筺体３の構造を簡素化して小型化することができる。
【００４０】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【符号の説明】
【００４１】
３…外装筺体、１１…天面部、１２…底面部、２１…開口部、３２…第１吸気口、３３…第２吸気口、５０…光学ユニット、５１…光源装置、８１…電源装置、８２…光源駆動装置、８４…冷却ファン、ＳＣ…被投射面、
【図１】
0005879814.tif 000002
【図２】
0005879814.tif 000003
【図３】
0005879814.tif 000004
【図４】
0005879814.tif 000005
【図５】
0005879814.tif 000006
【図６】
0005879814.tif 000007
【図７】
0005879814.tif 000008
【図８】
0005879814.tif 000009
【図９】
0005879814.tif 000010
【図１０】
0005879814.tif 000011
【図１１】
0005879814.tif 000012
【図１２】
0005879814.tif 000013
【図１３】
0005879814.tif 000014
【図１４】
0005879814.tif 000015